(57)【要約】      （修正有）【課題】電子機器と、それを搭載した自動車に関するもので、使い勝手を向上させる。【解決手段】静電パネルスイッチ８の中列グループの左側から２番目の操作キー３２は、この中列グループの最左に配置された操作キー３１の下側に、左側引出ライン３２ａを有し、前記中列グループの右側から２番目の操作キー３５は、この中列グループの最右に配置された操作キー３６の上側に、右側引出ライン３５ａを有する構成とし、制御部は、表示部に表示された表示画面が縦スライド画面であるときに、表示部のどのエリアをスライド操作しても同一方向に、前記縦スライド画面をスライドさせることができる構成とした。【選択図】図５
2014146225.tif 000002
【特許請求の範囲】
【請求項１】
表示部と、この表示部に設けた静電パネルスイッチと、この静電パネルスイッチおよび前記表示部に接続した制御部とを備え、前記静電パネルスイッチは、複数の操作キーをＸ軸方向に配置した上列グループ、少なくとも４個以上の操作キーをＸ軸方向に配置した中列グループ、複数の操作キーをＸ軸方向に配置した下列グループを有し、前記中列グループの左側から２番目の操作キーは、この中列グループの最左に配置された操作キーの下側、または上側の一方に、左側引出ラインを有し、前記中列グループの右側から２番目の操作キーは、この中列グループの最右に配置された操作キーの下側、または上側の他方に、右側引出ラインを有する構成とし、前記制御部は、前記表示部に表示された表示画面が縦スライド画面であるときに、前記表示部の、前記左側引出ライン対応部分、または右側引出ライン対応部分を含むエリアが、縦方向スライド操作がされた場合、これらの左側引出ライン、および右側引出ラインを含まぬエリアが縦方向スライド操作されたときに、前記表示部の縦スライド画面を上方向、または下方にスライドさせる動作と同一方向に、前記縦スライド画面をスライドさせる構成とした電子機器。
【請求項２】
制御部は、表示部に縦スライド画面が表示されている状態で、前記表示部の、左側引出ライン対応部分と、中列グループの最左の操作キーを含むエリアが上方、または下方にスライド操作されたときには、中列グループの最左の操作キーと、左側から２番目の操作キーが操作されたと判断し、次に、この中列グループの最左の操作キーと、左側から２番目の操作キーの操作を、縦スライド画面の縦方向スライド操作に変換し、その後、前記縦スライド画面をスライドさせる構成とした請求項１に記載の電子機器。
【請求項３】
制御部は、表示部に縦スライド画面が表示されている状態で、前記表示部の、右側引出ライン対応部分と、中列グループの最右の操作キーを含むエリアが上方、または下方にスライド操作されたときには、中列グループの最右の操作キーと、右側から２番目の操作キーが操作されたと判断し、次に、この中列グループの最右の操作キーと、右側から２番目の操作キーの操作を、縦スライド画面の縦方向スライド操作に変換し、その後、前記縦スライド画面をスライドさせる構成とした請求項１または２に記載の電子機器。
【請求項４】
静電パネルスイッチの中列グループは、少なくとも５個以上の操作キーをＸ軸方向に配置にした構成とし、この中列グループで、左側から２番目の操作キーと、この中列グループの右側から２番目の操作キーとの間に位置する操作キーは、上列グループの操作キー間、または下列グループの操作キー間に、縦方向引出ラインを有する構成とした請求項１から３のいずれか一つに記載の電子機器。
【請求項５】
制御部は、表示部に横スライド画面が表示されている状態で、前記表示部の、縦方向引出ライン対応部分と、その横方向に隣接する上列グループの操作キー、または下列グループの操作キーを含むエリアが、横方向にスライド操作されたときには、上列グループ、または下列グループと、中列グループの操作キーとが操作されたと判断し、次に、この上列グループ、または下列グループと、中列グループの操作キーとの操作を、横スライド画面の横方向スライド操作に変換し、その後、前記横スライド画面を横方向にスライドさせる構成とした請求項１から４のいずれか一つに記載の電子機器。
【請求項６】
請求項１から５のいずれか一つに記載の電子機器を、搭載した自動車。
【発明の詳細な説明】
【技術分野】
【０００１】
本発明は、電子機器と、それを搭載した自動車に関するものである。
【背景技術】
【０００２】
自動車に搭載される電子機器は、例えば選曲変更をする操作が、運転に支障をきたさぬよう、表示部をスライド操作（フリック操作とも言う）するものが提案されている（例えば下記特許文献１）。
【０００３】
すなわち、表示部の背面側に静電パネルスイッチを設けているので、表示部の表面をスライド操作すれば、静電パネルスイッチの静電容量が一方向に向けて連続的に変化するので、制御部は、これをスライド操作と判断し、例えば、上述した選曲が行えるのである。
【先行技術文献】
【特許文献】
【０００４】
【特許文献１】特開２０１２−１２３４４８号公報
【発明の概要】
【発明が解決しようとする課題】
【０００５】
上記従来例における課題は、操作性が低いということであった。すなわち、上述した電子機器は、表示部と、この表示部に設けた静電パネルスイッチと、この静電パネルスイッチおよび前記表示部に接続した制御部とを備え、前記静電パネルスイッチは、前記表示パネルの背面側において、それぞれ３個の操作キーをＸ軸方向に配置にした上列グループと、中列グループと、下列グループを有し、前記中列グループの真ん中の操作キーは、上列グループ、または下列グループの操作キー間に引出ラインを有する構成となっていた。
【０００６】
ここで、問題となるのは、上記引出ラインの存在で、表示部のスライド操作時に、この表示部の前記引出ラインに対応するエリアに触れてしまうと、上記中列グループの真ん中の操作キーが操作されたと誤判断されてしまうことである。
【０００７】
そこで、従来は、表示パネルの背面側に設けた静電パネルスイッチにおいて、各列の操作キーを少なく（例えば３個）し、それによって引出ラインの本数を１本とし、操作の誤判断が発生しにくくしている。
【０００８】
しかしながら、静電パネルスイッチにおいて、各列の操作キーの数を少なくすると、各操作キーが大きくなり、その結果、広い範囲をスライド操作する必要があり、操作性の低いものとなるのであった。
【０００９】
そこで、本発明は、操作性を高めることを目的とするものである。
【課題を解決するための手段】
【００１０】
そしてこの目的を達成するために本発明は、表示部と、この表示部に設けた静電パネルスイッチと、この静電パネルスイッチおよび前記表示部に接続した制御部とを備え、前記静電パネルスイッチは、複数の操作キーをＸ軸方向に配置した上列グループ、少なくとも４個以上の操作キーをＸ軸方向に配置した中列グループ、複数の操作キーをＸ軸方向に配置した下列グループを有し、前記中列グループの左側から２番目の操作キーは、この中列グループの最左に配置された操作キーの下側、または上側の一方に、左側引出ラインを有し、前記中列グループの右側から２番目の操作キーは、この中列グループの最右に配置さ
れた操作キーの下側、または上側の他方に、右側引出ラインを有する構成とし、前記制御部は、前記表示部に表示された表示画面が縦スライド画面であるときに、前記表示部の、前記左側引出ライン対応部分、または右側引出ライン対応部分を含むエリアが、縦方向スライド操作がされた場合、これらの左側引出ライン、および右側引出ラインを含まぬエリアが縦方向スライド操作されたときに、前記表示部の縦スライド画面を上方向、または下方にスライドさせる動作と同一方向に、前記縦スライド画面をスライドさせる構成とし、これにより所期の目的を達成するものである。
【発明の効果】
【００１１】
以上のように本発明は、表示部と、この表示部に設けた静電パネルスイッチと、この静電パネルスイッチおよび前記表示部に接続した制御部とを備え、前記静電パネルスイッチは、複数の操作キーをＸ軸方向に配置した上列グループ、少なくとも４個以上の操作キーをＸ軸方向に配置した中列グループ、複数の操作キーをＸ軸方向に配置した下列グループを有し、前記中列グループの左側から２番目の操作キーは、この中列グループの最左に配置された操作キーの下側、または上側の一方に、左側引出ラインを有し、前記中列グループの右側から２番目の操作キーは、この中列グループの最右に配置された操作キーの下側、または上側の他方に、右側引出ラインを有する構成とし、前記制御部は、前記表示部に表示された表示画面が縦スライド画面であるときに、前記表示部の、前記左側引出ライン対応部分、または右側引出ライン対応部分を含むエリアが、縦方向スライド操作がされた場合、これらの左側引出ライン、および右側引出ラインを含まぬエリアが縦方向スライド操作されたときに、前記表示部の縦スライド画面を上方向、または下方にスライドさせる動作と同一方向に、前記縦スライド画面をスライドさせる構成としたので、操作性の高いものとなる。
【００１２】
すなわち、本発明においては、中列グループにおいても、４個以上の操作キーをＸ軸方向に配置したものであるので、操作キーの数が多くなり、その分、各操作キーが小さくなり、小さな範囲をスライド操作しても、表示部のスライド画面をスライドすることができ、操作性の高いものとなるのである。
【００１３】
また、前記静電パネルスイッチの前記中列グループの左側から２番目の操作キーは、この中列グループの最左に配置された操作キーの下側、または上側の一方に、左側引出ラインを有し、前記中列グループの右側から２番目の操作キーは、この中列グループの最右に配置された操作キーの下側、または上側の他方に、右側引出ラインを有する構成とし、前記制御部は、前記表示部に表示された表示画面が縦スライド画面であるときに、前記表示部の、前記左側引出ライン対応部分、または右側引出ライン対応部分を含むエリアが、縦方向スライド操作がされた場合、これらの左側引出ライン、および右側引出ラインを含まぬエリアが縦方向スライド操作されたときに、前記表示部の縦スライド画面を上方向、または下方にスライドさせる動作と同一方向に、前記縦スライド画面をスライドさせる構成としたので、表示部のどのエリアをスライド操作しても同一方向に、前記縦スライド画面をスライドさせることができ、この点からも操作性の高いものとなる。
【図面の簡単な説明】
【００１４】
【図１】本発明の一実施形態にかかる電子機器を搭載した自動車を示す斜視図
【図２】同電子機器の静電パネルスイッチを示す正面図
【図３】同電子機器の制御ブロック図
【図４】同電子機器の静電パネルスイッチの操作キーの配列を示す図
【図５】同電子機器の動作を示す図
【図６】同電子機器の動作を示す図
【図７】同電子機器の表示部を示す図
【図８】同電子機器の表示部を示す図
【図９】同電子機器の動作を示すフローチャート
【発明を実施するための形態】
【００１５】
以下、本発明の一実施形態を、添付図面を用いて説明する。
【００１６】
（実施の形態１）
図１において、自動車１の車内２前方には運転席３と助手席４が設けられている。また、運転席３の前方には、ハンドル５は配置され、さらにこのハンドル５の側方には電子機器６が配置されている。
【００１７】
前記電子機器６は音楽再生や、地図表示や、ＴＶやラジオの視聴を行うことができるものであるが、これらの音楽再生や、地図表示や、ＴＶやラジオの視聴は、衆知の技術であるので、説明の煩雑化を避けるため、説明は簡略化する。
【００１８】
本実施形態における特徴は、電子機器６の表示部７を用いて、例えば音楽再生時の音量調整や、選曲、またＴＶやラジオの選局を、表示部７をスライド操作することで実行できるということであり、以下において、この部分を詳細に説明する。
【００１９】
先ず、表示部７の背面側には、図２に示すような静電パネルスイッチ８が設けられ、さらにその背面側には、液晶表示素子（図示せず）が設けられている（なお、本実施形態においては、前記液晶表示素子（図示せず）を含んだものを表示部７と称している）。
【００２０】
すなわち、静電パネルスイッチ８は後述するように複数の操作キーが設けられているが、これらは透明になっているので、前記液晶表示素子の映像は、この静電パネルスイッチ８を透過し、次に、表示部７を構成する前面透明パネルを透過し、目視できるようになっている。
【００２１】
前記静電パネルスイッチ８には、黒色で、絶縁性の枠９が設けられ、この枠９内が表示部７として、映像を表示することが出来る部分である。
【００２２】
そして、この枠９外の下方には、音量を調整するための操作キー１０、１１、１２、１３、１４、１５、１６が横方向（Ｘ軸方向）に配列されている。
【００２３】
つまり、この操作キー１０、１１、１２、１３、１４、１５、１６を、左側から右側にスライド操作すれば、音量が大きくなり、逆に操作キー１０、１１、１２、１３、１４、１５、１６を、右側から左側にスライド操作すれば、音量が小さくなるようになっている。
【００２４】
その他にも、静電パネルスイッチ８の枠９外には、各種機能を実行するための操作キー１７〜２４が配置されているが、これらは一般的な部分なので、説明は簡略化する。
【００２５】
本実施形態における静電パネルスイッチ８で特徴的なのは、枠９内の部分であるので、先ずは、この内部の構成について、説明する。
【００２６】
前記静電パネルスイッチ８は、複数の操作キー２５〜３０をＸ軸方向に配置した上列グループ、複数（少なくとも４個以上）の操作キー３１〜３６をＸ軸方向に配置した中列グループ、複数の操作キー３７〜４２をＸ軸方向に配置した下列グループを有している。
【００２７】
図４はその配列などを解りやすく表示したものであり、前記中列グループの左側から２番目の操作キー３２は、この中列グループの最左に配置された操作キー３１の下側（下側
と上側の一方の例）に、左側引出ライン３２ａを有し、前記中列グループの右側から２番目の操作キー３５は、この中列グループの最右に配置された操作キー３６の上側（下側、と上側の他方の例）に、右側引出ライン３５ａを有する構成となっている。
【００２８】
また、静電パネルスイッチ８の中列グループは、少なくとも５個以上の操作キー３１〜３６をＸ軸方向に配置にした構成としているが、この中列グループで、左側から２番目の操作キー３２と、この中列グループの右側から２番目の操作キー３５との間に位置する操作キー３３、３４は、上列グループの操作キー２７、２８間、および２８、２９間に縦方向引出ライン３３ａ、３４ａを有する。
【００２９】
なお、これらの縦方向引出ライン３３ａ、３４ａは、下列グループの操作キー３９、４０間、および４０、４１間に設けても良いが、本実施形態では、下方に音量を調整するための操作キー１０、１１、１２、１３、１４、１５、１６が横方向（Ｘ軸方向）に配列されているので、縦方向引出ライン３３ａ、３４ａは、上述のごとく、上列グループの操作キー２７、２８間、および２８、２９間に設けるほうが好ましい。
【００３０】
さて、このように配置された操作キー１０〜４２は図３に示すように、検出部４３を介して制御部４４に接続されている。
【００３１】
また、この制御部４４には、表示処理部４５を介して表示部７（液晶表示素子も含む）が接続されている。
【００３２】
また、制御部４４において、操作キー２５〜４２においては、図６のような操作割り当てが行われている。
【００３３】
つまり、図７のごとく、表示部７に表示された表示画面が縦スライド画面であるときには、前記表示部７は一般的には、縦方向にスライド操作が行われるので、たとえ検出部４３が横方向（右→左）のスライド操作（Ｅ→Ｄ）を検出しても、縦方向で上方のスライド操作（Ｅ→Ｂ）が行われたと判断するようにしている。
【００３４】
また、検出部４３が横方向（左→右）のスライド操作（Ｅ→Ｆ）を検出しても、縦方向で下方のスライド操作（Ｅ→Ｈ）が行われたと判断するようにしている。
【００３５】
つまり、図５に示すように、左側引出ライン３２ａと右側引出ライン３５ａ部分においては、縦方向にスライド操作した場合でも、検出部４３は横方向にスライド操作されたと検出してしまうので、この場合の誤動作を避けるために、制御部４４において、操作キー２５〜４２に対して、図６のような操作割り当てが行われているのである。
【００３６】
ここで、例えば前記左側引出ライン３２ａ対応部分、または右側引出ライン３５ａ対応部分を含むエリアが、縦方向スライド操作がされた場合について簡単に説明する。
【００３７】
すなわち、図５において、操作キー３１から下方にスライド操作すると、その下には操作キー３２の左側引出ライン３２ａが存在するので、検出部４３は操作キー３１、３２と横方向にスライド操作されたと検出してしまう。
【００３８】
同様に、操作キー３６から上方にスライド操作すると、その上には操作キー３５の右側引出ライン３５ａが存在するので、検出部４３は操作キー３６、３５と横方向にスライド操作されたと検出してしまう。
【００３９】
そこで、本実施形態では、制御部４４に図６のような操作割り当てを行わせたものであ
り、このようにすれば、操作キー２５〜４２のどの部分を縦方向にスライド操作しても同様な動作が行われる。
【００４０】
具体的に説明すると、表示部７に図７のような縦方向のスライド画面が表示されている状態で、操作キー２５〜４２に対応する表示部７のどの部分を縦方向にスライド操作しても、縦方向のスライド画面を、正しく、縦方向にスライド操作することができるのである。
【００４１】
この点を、順を追って説明すると、操作キー２５〜４２に対応する表示部７を縦方向（上下方向）にスライド操作すると、制御部４４は表示部７に表示した画面が縦方向のスライド画面か否かを判定する（図９のＳ１）。
【００４２】
この場合、例えば操作キー２６、３２と縦方向（下方向）にスライド操作すると、検出部４３も縦方向スライド操作と検出するので、図７の画面を縦方向（下方向）にスライドさせ、その結果ＳｏｎｇＡが中央部に表示されることになる（図９のＳ２、Ｓ３）。
【００４３】
これに対して、操作キー３１から下方に縦方向にスライド操作すると、その下には操作キー３２の左側引出ライン３２ａが存在するので、検出部４３は操作キー３１、３２と横方向（右方向）にスライド操作されたと検出する（図９のＳ２、Ｓ４、Ｓ５）。
【００４４】
制御部４４は、上述したように図６のような操作割り当てを行っているので、このときには、検出部４３が横方向（左→右）のスライド操作（Ｅ→Ｆ）を検出しても、縦方向で下方のスライド操作（Ｅ→Ｈ）が行われたと判断し、その結果として図７の画面を縦方向（下方向）にスライドさせ、その結果ＳｏｎｇＡが中央部に表示される（図９のＳ６）。
【００４５】
また、操作キー３６の上側から下方にスライド操作すると、先ずは、操作キー３５の右側引出ライン３５ａが存在するので、検出部４３は操作キー３５、３６と（左→右）のスライド操作（Ｅ→Ｆ）を検出しても、縦方向で下方のスライド操作（Ｅ→Ｈ）が行われたと判断し、その結果として図７の画面を縦方向（下方向）にスライドさせ、その結果ＳｏｎｇＡが中央部に表示される（Ｓ２、Ｓ４、Ｓ５、Ｓ６）。
【００４６】
また、操作キー３２の左側引出ライン３２ａから上方に縦方向スライド操作すると、先ず、操作キー３２の左側引出ライン３２ａが存在するので、検出部４３は操作キー３２、３１と横方向（左方向）にスライド操作されたと検出する（図９のＳ２、Ｓ４、Ｓ５）。
【００４７】
制御部４４は、上述したように図６のような操作割り当てを行っているので、このときには、検出部４３が横方向（右→左）のスライド操作（Ｅ→Ｄ）を検出しても、縦方向で上方のスライド操作（Ｅ→Ｂ）が行われたと判断し、その結果として図７の画面を縦方向（上方向）にスライドさせ、その結果ＳｏｎｇＣが中央部に表示される（図９のＳ７）。
【００４８】
また、操作キー３６から上方にスライド操作すると、その上には、操作キー３５の右側引出ライン３５ａが存在するので、検出部４３は操作キー３６、３５と（右→左）のスライド操作（Ｅ→Ｄ）を検出しても、縦方向で下方のスライド操作（Ｅ→Ｂ）が行われたと判断し、その結果として図７の画面を縦方向（上方向）にスライドさせ、その結果ＳｏｎｇＣが中央部に表示される（図９のＳ２、Ｓ４、Ｓ５、Ｓ７）。
【００４９】
次に、表示部７に図８のごとく横方向スライド操作画面が表示されている状態における、操作について説明する。
【００５０】
このときにも、本実施形態では、制御部４４に図６のような操作割り当てを行わせたも
のであり、このようにすれば、操作キー２５〜４２のどの部分を横方向にスライド操作しても、表示された画面を適切に横方向にスライド操作することができる。
【００５１】
具体的に説明すると、表示部７に図８のような横方向のスライド画面が表示されている状態で、操作キー２５〜４２に対応する表示部７のどの部分を横方向にスライド操作しても、横方向のスライド画面を、正しく、横方向にスライド操作することができるのである。
【００５２】
この点を、順を追って説明すると、操作キー２５〜４２に対応する表示部７を横方向（左右方向）にスライド操作すると、制御部４４は表示部７に表示した画面が横方向のスライド画面か否かを判定する（図９のＳ１、Ｓ８）。
【００５３】
この場合、例えば操作キー２６、２７と横方向（右方向）にスライド操作すると、検出部４３も横方向（右方向）スライド操作と検出するので、図８の画面を横方向（右方向）にスライドさせ、その結果、フロント側への音場移動操作が表示されることになる（図９のＳ９、Ｓ１０）。
【００５４】
これに対して、操作キー２７から右方向に横方向にスライド操作すると、その横には、操作キー３３の縦方向引出ライン３３ａが存在するので、検出部４３は操作キー２７、３３と縦方向（下方向）にスライド操作されたと検出する（図９のＳ９、Ｓ１１、Ｓ１２）。
【００５５】
制御部４４は、上述したように図６のような操作割り当てを行っているので、このときには、検出部４３が縦方向（上→下）のスライド操作（Ｅ→Ｈ）を検出しても、横方向で右方のスライド操作（Ｅ→Ｆ）が行われたと判断し、その結果として図８の画面表示を横方向（右方向）にスライドさせる（図９のＳ１３）。
【００５６】
また、操作キー３４の縦方向引出ライン３４ａから左にスライド操作すると、横には操作キー２８が存在するので、検出部４３は操作キー３４、２８と（下→上）のスライド操作（Ｅ→Ｂ）を検出するが、制御部４４は、横方向で左方のスライド操作（Ｅ→Ｄ）が行われたと判断し、その結果として図８の画面を横方向（左方向）にスライドさせる（Ｓ９、Ｓ１１、Ｓ１２、Ｓ１４）。
つまり、本実施形態においては、操作キー２５〜４２のどの部分を横方向にスライド操作しても、表示部７の横方向スライド画面を横方向にスライド操作することができるのである。
【００５７】
なお、図９のＳ１５、Ｓ１６は、操作キー２５〜４２をタップ操作した状態を示すものである。
【産業上の利用可能性】
【００５８】
以上のように本発明は、中列グループにおいても、４個以上の操作キーをＸ軸方向に配置したものであるので、操作キーの数が多くなり、その分、各操作キーが小さくなり、小さな範囲をスライド操作しても、表示部のスライド画面をスライドすることができ、操作性の高いものとなるのである。
【００５９】
また、前記静電パネルスイッチの前記中列グループの左側から２番目の操作キーは、この中列グループの最左に配置された操作キーの下側、または上側の一方に、左側引出ラインを有し、前記中列グループの右側から２番目の操作キーは、この中列グループの最右に配置された操作キーの下側、または上側の他方に、右側引出ラインを有する構成とし、前記制御部は、前記表示部に表示された表示画面が縦スライド画面であるときに、前記表示
部の、前記左側引出ライン対応部分、または右側引出ライン対応部分を含むエリアが、縦方向スライド操作がされた場合、これらの左側引出ライン、および右側引出ラインを含まぬエリアが縦方向スライド操作されたときに、前記表示部の縦スライド画面を上方向、または下方にスライドさせる動作と同一方向に、前記縦スライド画面をスライドさせる構成としたので、表示部のどのエリアをスライド操作しても同一方向に、前記縦スライド画面をスライドさせることができ、この点からも操作性の高いものとなる。
【００６０】
したがって、電子機器と、それを搭載した自動車としての活用が期待されるものとなる。
【符号の説明】
【００６１】
１  自動車
２  車内
３  運転席
４  助手席
５  ハンドル
６  電子機器
７  表示部
８  静電パネルスイッチ
９  枠
１０〜４２  操作キー
３２ａ  左側引出ライン
３５ａ  右側引出ライン
３３ａ，３４ａ  縦方向引出ライン
４３  検出部
４４  制御部
４５  表示処理部
【図１】
2014146225.tif 000003
【図２】
2014146225.tif 000004
【図３】
2014146225.tif 000005
【図４】
2014146225.tif 000006
【図５】
2014146225.tif 000007
【図６】
2014146225.tif 000008
【図７】
2014146225.tif 000009
【図８】
2014146225.tif 000010
【図９】
2014146225.tif 000011